(57)【特許請求の範囲】
【請求項１】
所有者に関する生年月日情報を含む所有者情報を有する通信媒体を利用し、
通信媒体との通信を行うリーダを備えた来場者の入退場を規制する自動入退場規制システムであって、
通信媒体から所有者情報を受信する受信部と、
時刻取得部と、
来場者の入退場の判断の基準となる入退場判断基準を記憶する基準記憶部と、
該入退場判断基準に基づき、該受信した所有者情報について入退場の可否を判断する判断部と、を有し、
該判断部は、取得した時刻と所有者情報に含まれる生年月日情報から年齢を算出し、算出した年齢が入退場判断基準を満たし入退場可能であると判断した場合、該所有者情報を有する通信媒体の所有者に対して入退場を許可すると共に、その判断の時刻から特定の時間内に該リーダと通信を行った他の１以上の通信媒体の所有者に対しても入退場を許可し、
取得した時刻と所有者情報に含まれる生年月日情報から年齢を算出し、算出した年齢が入退場判断基準を満たさず入退場不可能であると判断した場合は、その判断の時刻から特定の時間内に取得した他の通信媒体が有する他の所有者情報に含まれる生年月日情報から年齢を算出し、算出した年齢が入退場判断基準を満たすと判断した場合には、該他の通信媒体の所有者に対して入退場を許可すると共に、該入退場不可能と判断をした所有者情報を有する通信媒体の所有者に対しても入退場を許可する、
ことを特徴とする自動入退場規制システム。
【請求項２】
所有者に関する所有者ＩＤを含む所有者情報を有する通信媒体を利用し、
通信媒体との通信を行うリーダを備えた来場者の入退場を規制する自動入退場規制システムであって、
通信媒体から所有者情報を受信する受信部と、
時刻取得部と、
来場者の入退場の判断の基準となる入退場判断基準を記憶する基準記憶部と、
該入退場判断基準に基づき、該受信した所有者情報について入退場の可否を判断する判断部と、を有し、
該判断部は、取得した所有者ＩＤに基づき記憶されている所有者情報の生年月日情報を読み出し、取得した時刻と読み出した生年月日情報から年齢を算出し、算出した年齢が入退場判断基準を満たさず入退場不可能であると判断した場合は、その判断の時刻から特定の時間内に取得した他の通信媒体が有する他の所有者情報ＩＤに基づき読み出した生年月日情報から年齢を算出し、算出した年齢が入退場判断基準を満たすと判断した場合には、該他の通信媒体の所有者に対して入退場を許可すると共に、該入退場不可能と判断をした所有者情報を有する通信媒体の所有者に対しても入退場を許可することを特徴とする自動入退場規制システム。
【請求項３】
前記判断部は、受信した所有者情報が入退場不可能であると判断した場合、来場者に対して、特定の時間内に入退場可能な所有者情報を有する他の通信媒体との通信を要求することを特徴とする請求項１又は２に記載の自動入退場規制システム。
【請求項４】
所有者に関する生年月日情報を含む所有者情報を有する通信媒体を利用し、
同時に複数の通信媒体との通信が可能なリーダを備えた来場者の入退場を規制する自動入退場規制システムであって、
通信媒体から複数の所有者情報を受信する受信部と、
時刻取得部と、
来場者の入退場の判断の基準となる入退場判断基準を記憶する基準記憶部と、
該入退場判断基準に基づき、該受信した所有者情報について入退場の可否を判断する判断部と、を有し、
前記判断部は、取得した時刻と同時に取得した複数の所有者情報に含まれる生年月日情報から年齢を算出し、少なくとも１つ以上の算出した年齢が入退場判断基準を満たし入退場不可能であると判断した場合は、同時に受信した複数の通信媒体の所有者全員に対して入退場を許可することを特徴とする自動入退場規制システム。
【請求項５】
所有者に関する所有者ＩＤを含む所有者情報を有する通信媒体を利用し、
同時に複数の通信媒体との通信が可能なリーダを備えた来場者の入退場を規制する自動入退場規制システムであって、
通信媒体から複数の所有者情報を受信する受信部と、
時刻取得部と、
来場者の入退場の判断の基準となる入退場判断基準を記憶する基準記憶部と、
該入退場判断基準に基づき、該受信した所有者情報について入退場の可否を判断する判断部と、を有し、
前記判断部は、同時に取得した所有者ＩＤに基づき記憶されている所有者情報の生年月日情報を読み出し、取得した時刻と読み出した複数の所有者情報に含まれる生年月日情報から年齢を算出し、少なくとも１つ以上の算出した年齢が入退場判断基準を満たし入退場可能であると判断した場合は、同時に受信した複数の通信媒体の所有者全員に対して入退場を許可することを特徴とする自動入退場規制システム。
【請求項６】
さらに、特定の所有者同士の相関関係を登録した相関関係情報を記憶する関係記憶部を有し、
前記判断部は、同時に若しくは特定の時間内に受信した複数の所有者情報が相関関係を有する場合のみ入退場を許可することを特徴とする請求項１乃至５のいずれか１項に記載の自動入退場規制システム。
【請求項７】
通信媒体との通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、
通信媒体から所有者に関する生年月日情報を含む所有者情報を受信するステップと、
現在時刻を取得する時刻取得ステップと、
取得した時刻と所有者の生年月日情報から年齢を算出するステップと、
算出した年齢と入退場判断基準に基づき、該受信した所有者情報について入退場の可否を判断するステップと、
を有し、
受信した所有者情報について入退場可能であると判断した場合には、該所有者に対して入退場を許可するステップと、判断ステップの時刻から特定の時間内に該リーダと通信を行った他の１以上の通信媒体の所有者に対しても入退場を許可するステップとを有し、
受信した所有者情報について入退場不可能であると判断した場合には、その判断の時刻から特定の時間内に他の通信媒体から所有者に関する生年月日情報を含む所有者情報を受信するステップと、取得した時刻と他の所有者の生年月日情報から年齢を算出するステップと、算出した年齢と入退場判断基準に基づき、該受信した他の所有者情報について入退場の可否を判断するステップと、受信した他の所有者情報について入退場可能であると判断した場合、先に入退場不可能と判断した所有者情報を有する通信媒体の所有者に対しても入退場を許可するステップとを有する、
ことを特徴とする自動入退場規制方法。
【請求項８】
通信媒体との通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、
通信媒体から所有者ＩＤを含む所有者情報を受信するステップと、
現在時刻を取得する時刻取得ステップと、
取得した所有者ＩＤに基づき記憶されている所有者情報の生年月日情報を読み出すステップと
取得した時刻と読み出した所有者の生年月日情報から年齢を算出するステップと、
算出した年齢と入退場判断基準に基づき、該受信した所有者情報について入退場の可否を判断するステップと、
を有し、
受信した所有者情報について入退場可能であると判断した場合には、該所有者に対して入退場を許可するステップと、判断ステップの時刻から特定の時間内に該リーダと通信を行った他の１以上の通信媒体の所有者に対しても入退場を許可するステップとを有し、
受信した所有者情報について入退場不可能であると判断した場合には、その判断の時刻から特定の時間内に他の通信媒体から所有者ＩＤを含む所有者情報を受信するステップと、取得した時刻と他の所有者ＩＤに基づき読み出した生年月日情報から年齢を算出するステップと、算出した年齢と入退場判断基準に基づき、該受信した他の所有者情報について入退場の可否を判断するステップと、受信した他の所有者情報について入退場可能であると判断した場合、先に入退場不可能と判断した所有者情報を有する通信媒体の所有者に対しても入退場を許可するステップとを有する、
ことを特徴とする自動入退場規制方法。
【請求項９】
受信した所有者情報からその所有者単独では入退場不可能であると判断した場合、その判断の時刻から特定の時間内に、来場者に対して入退場可能な所有者情報を有する他の通信媒体との通信を要求する、入退場許可追認要求ステップを有することを特徴とする請求項７または８に記載の自動入退場規制方法。
【請求項１０】
複数の通信媒体と同時に通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、
複数の通信媒体から所有者に関する生年月日情報を含む所有者情報を同時に受信するステップと、
現在時刻を取得する時刻取得ステップと、
取得した時刻と各々の所有者の生年月日情報から年齢を算出するステップと、
算出した年齢と入退場判断基準に基づき、該受信した各々の所有者情報について入退場の可否を判断するステップと、
受信した複数の所有者情報について少なくとも１以上が入退場可能であると判断した場合、同時に受信した複数の通信媒体の所有者全員に対して入退場を許可する入退場許可ステップと、
を有することを特徴とする自動入退場規制方法。
【請求項１１】
複数の通信媒体と同時に通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、
複数の通信媒体から所有者ＩＤを含む所有者情報を同時に受信するステップと、
現在時刻を取得する時刻取得ステップと、
取得した所有者ＩＤに基づき記憶されている所有者情報の生年月日情報を読み出すステップと
取得した時刻と各々の読み出した所有者の生年月日情報から年齢を算出するステップと、
算出した年齢と入退場判断基準に基づき、該受信した各々の所有者情報について入退場の可否を判断するステップと、
受信した複数の所有者情報について少なくとも１以上が入退場可能であると判断した場合、同時に受信した複数の通信媒体の所有者全員に対して入退場を許可する入退場許可ステップと、
を有することを特徴とする自動入退場規制方法。
【請求項１２】
さらに、前記通信媒体から前記所有者情報と共に相関情報を受信する受信ステップと、
特定の所有者同士の相関関係を登録した相関関係情報に基き、受信した複数の所有者情報が相関関係を有する場合のみ入退場を許可する入退場許可ステップと、
を有することを特徴とする請求項７乃至１１のいずれか１項に記載の自動入退場規制方法。
【発明の詳細な説明】
【技術分野】
【０００１】
本発明は、ゲームセンター、映画館等で利用可能なＩＣカード等の情報通信媒体を使った自動入退場規制システムに関するものである。
【背景技術】
【０００２】
例えばゲームセンターや映画館等のいくつかの施設では、時間帯や上映物の内容、イベント等によって、入場規制が行われている場合がある。
【０００３】
特に入場者の年齢条件に基く入場規制は、青少年の犯罪を防止するという観点から、青少年保護育成条例などで定められており、それに違反した場合は違反した本人だけでなく、施設の運営者側も管理責任を問われる可能性もある故、運営者側としても入場者の管理を如何に行うかが課題となっている。
【０００４】
こういった施設における入場規制の方法としては、夜間に従業員が規定年齢に満たないと思われる者を注意する方法や、入口で顧客に身分証明書等を提示させることで従業員が年齢確認をする方法等がとられているが、人手の問題等から完全に入場規制を行うことは困難である。
【０００５】
このような問題を受けて、ＲＦＩＤを用いて入場規制を行う入退場管理システムが提案されている。このような従来のＲＦＩＤを用いた入退場管理システムは、来場者一人一人のＲＦＩＤを個別に読み取り、その個々に対して入退場の可否を判断するものである。
【特許文献１】特願２００４−２５４９２８
【発明の開示】
【発明が解決しようとする課題】
【０００６】
しかしながら、実際の入場規制の判断基準としては、来場者個々の年齢、性別等の条件のみが問われる場合だけでなく、入場者同士の条件の組み合わせ（例えば、親子連れ限定、男女ペア限定、女性グループ限定等）によって規制を行う場合もある。また日中は子供のみで入場が可能であるが、夜間は子供のみでの入場は禁止され、保護者同伴であれば入場可能となり、さらに遅い時間になると保護者同伴でも入場できなくなるといったように、その規制も様々であるが、従来のＲＦＩＤを利用した入退場管理システムでは、そのような様々な入場規制の条件に対応できないという問題があった。
【０００７】
本発明は、かかる従来技術の問題点を解決するものであり、来場者の年齢等の情報、来場の時間帯、複数の来場者同士が特定の関係性を有するか、等の様々な入場規制の条件に基いて判断される入退場可否判断に柔軟に対応し、且つ自動で行うことが可能な自動入退場規制システムを提供することを課題とする。
【課題を解決するための手段】
【０００８】
上記の課題を解決するために、本発明の請求項１に係る発明は、所有者に関する生年月日情報を含む所有者情報を有する通信媒体を利用し、通信媒体との通信を行うリーダを備えた来場者の入退場を規制する自動入退場規制システムであって、通信媒体から所有者情報を受信する受信部と、時刻取得部と、来場者の入退場の判断の基準となる入退場判断基準を記憶する基準記憶部と、該入退場判断基準に基づき、該受信した所有者情報について入退場の可否を判断する判断部と、を有し、該判断部は、取得した時刻と所有者情報に含まれる生年月日情報から年齢を算出し、算出した年齢が入退場判断基準を満たし入退場可能であると判断した場合、該所有者情報を有する通信媒体の所有者に対して入退場を許可すると共に、その判断の時刻から特定の時間内に該リーダと通信を行った他の１以上の通信媒体の所有者に対しても入退場を許可し、取得した時刻と所有者情報に含まれる生年月日情報から年齢を算出し、算出した年齢が入退場判断基準を満たさず入退場不可能であると判断した場合は、その判断の時刻から特定の時間内に取得した他の通信媒体が有する他の所有者情報に含まれる生年月日情報から年齢を算出し、算出した年齢が入退場判断基準を満たすと判断した場合には、該他の通信媒体の所有者に対して入退場を許可すると共に、該入退場不可能と判断をした所有者情報を有する通信媒体の所有者に対しても入退場を許可する、ことを特徴とする自動入退場規制システムとなる。
【０００９】
また本発明の請求項２に係る発明は、所有者に関する所有者ＩＤを含む所有者情報を有する通信媒体を利用し、通信媒体との通信を行うリーダを備えた来場者の入退場を規制する自動入退場規制システムであって、通信媒体から所有者情報を受信する受信部と、時刻取得部と、来場者の入退場の判断の基準となる入退場判断基準を記憶する基準記憶部と、該入退場判断基準に基づき、該受信した所有者情報について入退場の可否を判断する判断部と、を有し、該判断部は、取得した所有者ＩＤに基づき記憶されている所有者情報の生年月日情報を読み出し、取得した時刻と読み出した生年月日情報から年齢を算出し、算出した年齢が入退場判断基準を満たさず入退場不可能であると判断した場合は、その判断の時刻から特定の時間内に取得した他の通信媒体が有する他の所有者情報ＩＤに基づき読み出した生年月日情報から年齢を算出し、算出した年齢が入退場判断基準を満たすと判断した場合には、該他の通信媒体の所有者に対して入退場を許可すると共に、該入退場不可能と判断をした所有者情報を有する通信媒体の所有者に対しても入退場を許可することを特徴とする自動入退場規制システムとなる。
【００１０】
また本発明の請求項３に係る発明は、前記判断部は、受信した所有者情報が入退場不可能であると判断した場合、来場者に対して、特定の時間内に入退場可能な所有者情報を有する他の通信媒体との通信を要求することを特徴とする請求項１又は２に記載の自動入退場規制システムとなる。
【００１１】
また本発明の請求項４に係る発明は、所有者に関する生年月日情報を含む所有者情報を有する通信媒体を利用し、同時に複数の通信媒体との通信が可能なリーダを備えた来場者の入退場を規制する自動入退場規制システムであって、通信媒体から複数の所有者情報を受信する受信部と、時刻取得部と、来場者の入退場の判断の基準となる入退場判断基準を記憶する基準記憶部と、該入退場判断基準に基づき、該受信した所有者情報について入退場の可否を判断する判断部と、を有し、前記判断部は、取得した時刻と同時に取得した複数の所有者情報に含まれる生年月日情報から年齢を算出し、少なくとも１つ以上の算出した年齢が入退場判断基準を満たし入退場不可能であると判断した場合は、同時に受信した複数の通信媒体の所有者全員に対して入退場を許可することを特徴とする自動入退場規制システムである。
【００１２】
また本発明の請求項５に係る発明は、所有者に関する所有者ＩＤを含む所有者情報を有する通信媒体を利用し、同時に複数の通信媒体との通信が可能なリーダを備えた来場者の入退場を規制する自動入退場規制システムであって、通信媒体から複数の所有者情報を受信する受信部と、時刻取得部と、来場者の入退場の判断の基準となる入退場判断基準を記憶する基準記憶部と、該入退場判断基準に基づき、該受信した所有者情報について入退場の可否を判断する判断部と、を有し、前記判断部は、同時に取得した所有者ＩＤに基づき記憶されている所有者情報の生年月日情報を読み出し、取得した時刻と読み出した複数の所有者情報に含まれる生年月日情報から年齢を算出し、少なくとも１つ以上の算出した年齢が入退場判断基準を満たし入退場可能であると判断した場合は、同時に受信した複数の通信媒体の所有者全員に対して入退場を許可することを特徴とする自動入退場規制システムである。
【００１３】
また本発明の請求項６に係る発明は、さらに、特定の所有者同士の相関関係を登録した相関関係情報を記憶する関係記憶部を有し、前記判断部は、同時に若しくは特定の時間内に受信した複数の所有者情報が相関関係を有する場合のみ入退場を許可することを特徴とする請求項１乃至５のいずれか１項に記載の自動入退場規制システムである。
【００１４】
また本発明の請求項７に係る発明は、通信媒体との通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、通信媒体から所有者に関する生年月日情報を含む所有者情報を受信するステップと、現在時刻を取得する時刻取得ステップと、取得した時刻と所有者の生年月日情報から年齢を算出するステップと、算出した年齢と入退場判断基準に基づき、該受信した所有者情報について入退場の可否を判断するステップと、を有し、受信した所有者情報について入退場可能であると判断した場合には、該所有者に対して入退場を許可するステップと、判断ステップの時刻から特定の時間内に該リーダと通信を行った他の１以上の通信媒体の所有者に対しても入退場を許可するステップとを有し、受信した所有者情報について入退場不可能であると判断した場合には、その判断の時刻から特定の時間内に他の通信媒体から所有者に関する生年月日情報を含む所有者情報を受信するステップと、取得した時刻と他の所有者の生年月日情報から年齢を算出するステップと、算出した年齢と入退場判断基準に基づき、該受信した他の所有者情報について入退場の可否を判断するステップと、受信した他の所有者情報について入退場可能であると判断した場合、先に入退場不可能と判断した所有者情報を有する通信媒体の所有者に対しても入退場を許可するステップとを有する、ことを特徴とする自動入退場規制方法である。
【００１５】
また本発明の請求項８に係る発明は、通信媒体との通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、通信媒体から所有者ＩＤを含む所有者情報を受信するステップと、現在時刻を取得する時刻取得ステップと、取得した所有者ＩＤに基づき記憶されている所有者情報の生年月日情報を読み出すステップと取得した時刻と読み出した所有者の生年月日情報から年齢を算出するステップと、算出した年齢と入退場判断基準に基づき、該受信した所有者情報について入退場の可否を判断するステップと、を有し、受信した所有者情報について入退場可能であると判断した場合には、該所有者に対して入退場を許可するステップと、判断ステップの時刻から特定の時間内に該リーダと通信を行った他の１以上の通信媒体の所有者に対しても入退場を許可するステップとを有し、受信した所有者情報について入退場不可能であると判断した場合には、その判断の時刻から特定の時間内に他の通信媒体から所有者ＩＤを含む所有者情報を受信するステップと、取得した時刻と他の所有者ＩＤに基づき読み出した生年月日情報から年齢を算出するステップと、算出した年齢と入退場判断基準に基づき、該受信した他の所有者情報について入退場の可否を判断するステップと、受信した他の所有者情報について入退場可能であると判断した場合、先に入退場不可能と判断した所有者情報を有する通信媒体の所有者に対しても入退場を許可するステップとを有する、ことを特徴とする自動入退場規制方法である。
【００１６】
また本発明の請求項９に係る発明は、受信した所有者情報からその所有者単独では入退場不可能であると判断した場合、その判断の時刻から特定の時間内に、来場者に対して入退場可能な所有者情報を有する他の通信媒体との通信を要求する、入退場許可追認要求ステップを有することを特徴とする請求項７または８に記載の自動入退場規制方法である。
【００１７】
また本発明の請求項１０に係る発明は、複数の通信媒体と同時に通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、複数の通信媒体から所有者に関する生年月日情報を含む所有者情報を同時に受信するステップと、現在時刻を取得する時刻取得ステップと、取得した時刻と各々の所有者の生年月日情報から年齢を算出するステップと、算出した年齢と入退場判断基準に基づき、該受信した各々の所有者情報について入退場の可否を判断するステップと、受信した複数の所有者情報について少なくとも１以上が入退場可能であると判断した場合、同時に受信した複数の通信媒体の所有者全員に対して入退場を許可する入退場許可ステップと、を有することを特徴とする自動入退場規制方法である。
【００１８】
また本発明の請求項１１に係る発明は、複数の通信媒体と同時に通信を行うリーダと、時刻取得部と、来場者の入退場の判断の基準となる入退場判断基準を記憶する基準記憶部と、入退場判断基準に基づき、該受信した所有者情報について入退場の可否を判断する判断部と、を備えた自動入退場規制システムにより来場者の入退場を規制する自動入退場規制であって、複数の通信媒体から所有者ＩＤを含む所有者情報を同時に受信するステップと、現在時刻を取得する時刻取得ステップと、取得した所有者ＩＤに基づき記憶されている所有者情報の生年月日情報を読み出すステップと取得した時刻と各々の読み出した所有者の生年月日情報から年齢を算出するステップと、算出した年齢と入退場判断基準に基づき、該受信した各々の所有者情報について入退場の可否を判断するステップと、受信した複数の所有者情報について少なくとも１以上が入退場可能であると判断した場合、同時に受信した複数の通信媒体の所有者全員に対して入退場を許可する入退場許可ステップと、を有することを特徴とする自動入退場規制方法である。
【００１９】
また本発明の請求項１２に係る発明は、さらに、前記通信媒体から前記所有者情報と共に相関情報を受信する受信ステップと、特定の所有者同士の相関関係を登録した相関関係情報に基き、受信した複数の所有者情報が相関関係を有する場合のみ入退場を許可する入退場許可ステップと、を有することを特徴とする請求項７乃至１１のいずれか１項に記載の自動入退場規制方法。である。
【発明の効果】
【００２０】
本発明は以上のような構成であるから、来場者の所有する通信媒体とリーダとの通信により来場者の入退場規制を行う故、来場者に対しては、リーダと通信媒体とを通信させるという簡単な作業のみを行ってもらえば良く、スムーズに入退場規制を行うことができるという効果がある。また、複数の来場者の所有する通信媒体を用いて入退場規制を行うことによって、実際に行われている、若しくは行いたいという要望があるような様々な入場規制の条件に柔軟に対応可能な自動入退場規制システムを提供することを可能とする。
【発明を実施するための最良の形態】
【００２１】
以下、本発明に係る自動入退場規制システム及び自動入退場規制方法を、図面を参照にして説明する。
【００２２】
図１（ａ）、（ｂ）、（ｃ）は、本発明に係る自動入退場規制システムの概略を示す図である。
【００２３】
特定の施設への来場者は、各々が通信媒体を所有しており、該通信媒体には所有者を特定することが可能な所有者情報が記憶されている。来場者は、施設への入退場時に施設入り口等に設けられたリーダと該通信媒体との通信を行わせる。リーダは通信を行った通信媒体が有する所有者情報を、定められた入退場判断基準に照らし合わせて入退場の可否を判断する判断部を有しており、判断部が入退場可能と判断した場合には、来場者に対して入退場を許可し、入退場不可能と判断した場合には、入退場を拒否する。入退場の許可、拒否の方法については特に限定しないが、リーダがゲートのようなものと接続され、入退場を許可する場合にはゲートが開き、拒否する場合にはゲートが開かないといった方法があげられる。
【００２４】
本発明における通信媒体とは、ＲＦＩＤを有する、ＩＣカードに代表される非接触型の通信媒体、又は接触型ＩＣカード、接触型磁気カード等があげられる。ただし、ここではカードと表現しているものは、カード以外の形状であってもリーダとの通信をする機能を有していれば良く、カードの形状にとらわれるものではない。また、通信媒体はＳＩＭカードを搭載した携帯電話であっても良い。また、通信媒体は来場時等の特定の通信の際にポイントを付与されるといったような、ポイントカードとしての機能を有していても良い。リーダは、少なくとも１つ以上の通信媒体から情報を受信する受信部と、入退場判断基準と通信媒体から受信した所有者情報を元にして、該通信媒体の所有者が施設の、施設への入退場の可否を判断する判断部を有する。
【００２５】
所有者情報とは、所有者ＩＤ、所有者の氏名、住所、電話番号、生年月日又は年齢、性別等の個人を特定できる情報のことで、通信媒体には、これらの情報が１つ以上記憶されている。通信媒体への所有者情報の記憶は、通信媒体の所有を希望する者が施設に対して利用登録等をする際に、その者が提示した情報をもとにして登録すればよい。また、通信媒体は所有者ＩＤのみを記憶し、リーダ自身又はリーダに直接接続された装置、若しくはネットワークを介してリーダに接続されているサーバが所有者ＩＤとそれ以外の所有者情報を関連付けて保持するようにすれば、情報セキュリティの観点からみても安全性が高い。他にもセキュリティ性を向上させる方法として、所有者情報をそのまま記憶するのではなく、所有者情報のデータの一部を利用して、特定の計算式に当てはめる等して派生させたデータとして記憶する方法も考えられる。
【００２６】
入退場判断基準とは、各々の施設によって定められている来場者の入退場の可否を判断する基準のことであり、例えば、時間帯と来場者の年齢との組み合わせ、来場者性別等によって定められている基準である。具体的には、１８歳未満の者は２２時以降の立ち入りを禁止するとか、女性のみ入場可能であるとかいったものである。また、入退場判断基準には、１６歳未満の者は２０時以降は保護者同伴でなければ入場禁止であるとか、男女ペアのみ入場可能であるとかいったように、複数の来場者の関係性を限定したものが含まれる場合もある。これらの入退場判断基準は、基準記憶部に記憶されている。基準記憶部は、リーダ自身が有していても（図１（ａ）参照）、もしくはリーダに直接接続されていても（図１（ｂ）参照）良いし、リーダにネットワークを介して接続されているサーバが有していても（図１（ｃ）参照）良い。また、図示しないが、基準記憶部を通信媒体に設けても良い。
【００２７】
図２は、本発明に係る自動入退場規制システム及び自動入退場規制方法を用いた際のリーダの動作を示すフロー図である。なお、このフロー図は、施設の入退場判断基準が、２０時以降は１８歳未満の者のみの入場、又は１８歳未満の者のみからなるグループの入場を禁止し、１８歳以上の者と、１８歳以上の者を含むグループに対しては入場を許可するというものである。
【００２８】
施設への来場者Ａが、施設の入り口等に設けられた専用のリーダに所有している通信媒体Ａをかざすと、リーダは通信媒体Ａと通信を行い、通信媒体Ａが記憶する所有者情報Ａを受信する。所有者情報Ａは、その全てを受信しても良いし、所有者の生年月日の情報のみを選択して受信するようにしても良い。または、所有者ＩＤのみを受信し、リーダ自身又はリーダに直接接続された装置若しくはネットワークを介してリーダに接続されたサーバのいずれかに記憶されている所有者情報の中から所有者の生年月日を受信した所有者ＩＤに基いて読み出すようにしても良い。所有者情報の受信に何かしらの問題が起これば、リーダはエラーを返す。
【００２９】
所有者情報Ａの受信が問題なく行われた後、リーダは、現在時刻Ｔを取得する。現在時刻Ｔは、リーダに時計機能を持つ部位を設け、そこから取得しても良いし、電波受信やネットワークを介して接続されたサーバから受信するようにしても良い。そして、リーダは現在時刻Ｔと所有者情報Ａの生年月日から、来場者Ａの現在の年齢ＸＡを算出する。
【００３０】
リーダの判断部は、ＸＡ＜１８であったとしても、特定の時間内に他の通信媒体とリーダとの通信が行われるか否かを待つ。この時に、来場者Ａのみでは入退場判断基準を満たさないため入場が不可能であることを通知し、音声又はディスプレイの表示等を用いて来場者Ａに対し、同伴者が有する他の通信媒体の提示を要求するようにしても良い。特定の時間内に他の通信媒体の提示がなされなかった場合、若しくは来場者Ａが音声又は装置の操作により同伴者がいないことを示した場合等には、入場が不可能である旨を来場者に通知する。
【００３１】
特定の時間内に来場者Ｂが所有する他の通信媒体Ｂの提示があった場合、リーダは提示された他の通信媒体Ｂと通信を行い、他の通信媒体Ｂが記憶する所有者情報Ｂを受信する。所有者情報Ｂは、その全てを受信しても良いし、所有者の生年月日の情報のみを選択して受信するようにしても良い。所有者情報Ｂの受信が問題なく行われれば、リーダは先に取得した現在時刻Ｔと生年月日から、他の通信媒体の所有者の年齢ＸＢを算出する。
【００３２】
リーダの判断部は、ＸＢ≧１８であれば、来場者Ｂに対して入場可能と判断し、その旨を通知すると共に、来場者Ｂの同伴者として来場者Ａに対しても入場を許可する。ただし、ＸＢ＜１８である場合には来場者Ａ、来場者Ｂの双方に対して入場が不可能である旨を通知する。
【００３３】
一方で、ＸＡ≧１８である場合、リーダの判断部は来場者Ａに対して入場可能であると判断し、入場を許可する旨を音声又はディスプレイの表示等を用いて来場者Ａに対して通知する。また、来場者Ａが入場可能と判断した時刻から特定の時間内に他の通信媒体Ｂとリーダとの通信が行われた場合には、通信媒体Ｂを所有する来場者Ｂに対しても入場可能と判断し、入場を許可する旨を同様に通知する。この時、音声又はディスプレイの表示等を用いて、来場者Ａに同伴者がいる場合には同伴者が所有するほかの通信媒体の提示を要求するようにしても良いし、来場者Ａが音声又は装置の操作等により同伴者の有無を示せるようにしても良い。
【００３４】
特定の時間内に来場者Ｂが所有する通信媒体Ｂとの通信が行われた場合には、通信媒体Ｂが記憶する所有者情報の生年月日から算出される来場者Ｂの現在の年齢ＸＢの如何に関わらず、来場者Ａ及びＢの双方に対して入場を許可する。
【００３５】
また、リーダが最初に来場者に対して何人のグループで来場したのかを問い、それに対して来場者が回答した人数分の通信媒体を特定の時間内に提示するように要求し、全員分の通信媒体との通信終了後に、入退場判断基準を満たす者、つまり年齢が１８歳以上である者が一人でもいた場合にはグループ全員を入場可能と判断し、グループ全員に対して入場を許可する旨を通知するようなフローにしても良い。
【００３６】
図３は、複数の来場者が所有する複数の通信媒体を同時に入退場可否判断する場合のリーダの動作を示すフローチャートである。ここでは説明上の簡便性を考慮して、来場者は二人としているが、これは当然二人以上であっても良い。なお、ここでの対象施設が設けている入退場判断基準も、上記図２の場合と同様２０時以降は１８歳未満の者のみの入場、又は１８歳未満の者のみからなるグループの入場を禁止し、１８歳以上の者、又は１８歳以上の者を含むグループに対して入場を許可するというものであるとする。
【００３７】
図３のフローチャートに用いられる通信媒体とリーダは、アンチコリジョン対応の非接触ＩＣカードとアンチコリジョン対応のＩＣカードリーダの如く、複数の通信媒体と同時に通信可能な通信媒体とリーダの組み合わせである。
【００３８】
施設に一緒に来場した来場者Ａと来場者Ｂは各々が所有する通信媒体Ａと通信媒体Ｂとをリーダにかざす。リーダは同時に通信媒体Ａと通信媒体Ｂと通信を行い、各々の通信媒体に記憶されている所有者情報Ａ、所有者情報Ｂを受信する。この場合の所有者情報は、所有者ＩＤのみとするか、若しくはこの施設の入退場可否判断基準に即して最低限、所有者の生年月日が含まれていればよい。所有者ＩＤのみを受信した場合は、リーダ自身又はリーダに直接接続された装置若しくはネットワークを介してリーダと接続されているサーバのいずれかに記憶されている所有者情報の中から所有者の生年月日を受信した所有者ＩＤに基いて読み出すようにすれば良い。ここで、リーダが最初に来場者に対して何人のグループで来場したのかを問い、来場者がそれに対して回答した人数分の通信媒体が提示されなかった場合エラーを返すステップをさらに組み込んでも良い。
【００３９】
問題なく通信媒体Ａ、通信媒体Ｂの双方からの所有者情報Ａ、所有者情報Ｂの受信が完了した後、リーダは現在時刻Ｔを取得する。現在時刻Ｔの取得は、リーダ自身が時計機能を有していても良いし、電波受信やネットワークを介して接続されたサーバから受信するようにしても良い。そして、リーダは得られた所有者情報Ａ，Ｂと現在時刻Ｔとから所有者Ａの現在の年齢ＸＡ及び所有者Ｂの現在の年齢ＸＢを算出する。
【００４０】
リーダの判断部は、ＸＡ≧１８且つＸＢ≧１８である場合、入場可能であると判断し、その旨を来場者へ通知する。上記を満たさない場合、現在時刻Ｔが２０時の前後どちらであるかを確認し、２０時より前であった場合には入場可能であると判断し、その旨を来場者へ通知する。現在時刻Ｔが２０時以降である場合、ＸＡ≧１８又はＸＢ≧１８のいずれかを満たせば入場可能であると判断し、来場者へその旨を通知する。この条件も満たさない場合には入場不可能であると判断し、来場者に対してその旨を通知する。
【００４１】
次に、入退場判断基準に通信媒体の記憶する所有者情報だけでなく、複数の通信媒体を関連付ける相関関係情報に関する条件も含まれている本願の実施形態を説明する。例として、ゲームセンターにおいて来場者の入場時間と年齢とにより入場規制を行う場合の自動入退場規制方法をあげる。なお、入退場判断基準は、１８歳未満の者の２０時以降の入場不可能であるが、但し保護者（家族関係を有する者で、１８歳以上である者）同伴であれば入場可能であるという基になっていると仮定する。
【００４２】
このゲームセンターの利用者は、ゲームセンターを最初に利用する際、氏名、生年月日等の個人情報を提示して会員登録を行い、会員証として非接触型ＩＣカードを所有している。会員証には、利用者が入会時に提示した、氏名、生年月日等の個人情報の中から必要な情報、このゲームセンターの場合は最低限生年月日と、所有者ＩＤとが所有者情報として記憶されている。また、会員証には家族又は親戚関係にある者同士はその関係が登録された相関関係情報も記憶されている。利用者はゲームセンターに来場した際には、入り口に設けられた専用のリーダに会員証である非接触型ＩＣカードをかざすこととなっている。なお、会員証及びリーダはアンチコリジョン対応のものとする。
【００４３】
今回仮定したゲームセンターは、その設定された入退場判断基準に基き、相関関係情報として、保護者関係と認められる、家族又は親戚関係にある者同士の関係が登録されているが、本発明における相関関係情報は、これに限定されるものではなく、例えば、友人や恋人関係、若しくは同じ会社や組織に属する等その施設の入退場判断基準に即した内容であれば良い。また、相関関係情報は所有者情報の一部として組み込まれていても良い。
【００４４】
また、相関関係情報のデータ形式は特に限定をしないが、例えば「親−所有者ＩＤ」といったように、関係と所有者ＩＤとを結び付けて記憶しても良いし、家族であれば、同じ家族ＩＤを付与し、それに枝番をふってそれぞれの構成員に付与すれば良い。また、セキュリティ性を考慮して、何らかの計算式をデータの一部に当てはめて派生させたデータ等を用いても良い。
【００４５】
図４は、上記のゲームセンターへの来場者二人がリーダに会員証である非接触型ＩＣカードをリーダに同時にかざした際のリーダの動作を示すフロー図である。
【００４６】
ゲームセンターへ一緒に来場した来場者Ａと来場者Ｂとは、入り口に設けられたリーダに、所有する会員証Ａ及び会員証Ｂを同時にかざす。会員証Ａ及び会員証Ｂとリーダとが通信を行い、リーダは会員証Ａ及び会員証Ｂに記憶されている所有者情報Ａ及び所有者情報Ｂと、登録があれば相関関係情報Ａ及び相関関係情報Ｂとを読み出す。
【００４７】
リーダの判断部は、まず受信した所有者情報Ａ及び所有者情報Ｂが正しく利用登録されているＩＤであるかどうかを確認し、エラーであればエラーを返す。これは例えばリーダにディスプレイを設けておき、そのディスプレイに会員登録されていないカードであるといった内容を表示して行うようにしても良い。
【００４８】
利用登録の確認が問題なく行われた場合、リーダの判断部は現在時刻Ｔを取得する。現在時刻Ｔの取得方法としては、時計機能を内蔵しておきそこから取得するか、ネットワークや電波受信などで外部から時刻を取得する等といった方法があげられる。
【００４９】
その後判断部は、取得した現在時刻Ｔと所有者の生年月日から、現在の来場者Ａの年齢ＸＡ及び来場者Ｂの年齢ＸＢを算出する。ＸＡ≧１８且つＸＡ≧１８であれば入場可能と判断し、入場を許可する旨を来場者に対して通知する。
【００５０】
ＸＡ≧１８且つＸＢ≧１８を満たさない場合、つまり来場者Ａ又は来場者Ｂのいずれかが１８歳未満であった場合でも、現在時刻Ｔが２０時前であれば入場可能と判断し、上記と同様に来場者に対して入場を許可する旨を通知する。
【００５１】
２０時を過ぎている場合、ＸＡ又はＸＢのいずれかが１８以上であるかを確認し、ＸＡ＜１８且つＸＢ＜１８である場合には、来場者Ａ及び来場者Ｂは入場不可能であると判断し、来場者に対して入場を拒否する旨を通知する。これは入場不可能であることを表す特定の音が出るようにしてもよいし、ディスプレイに入場が不可能な旨を示したり、ランプが点灯したり、ゲートを閉鎖したりする等の方法で行えばよい。
【００５２】
ＸＡ又はＸＢのいずれかが１８以上である場合、会員証Ａ及び会員証Ｂから相関関係情報が受信されていたかを確認する。相関関係情報が受信されていない場合、上記と同様にして来場者に対して入場を拒否する旨を通知する。
【００５３】
相関関係情報Ａ及び相関関係情報Ｂが受信されていた場合には、相関関係情報Ａと相関関係情報Ｂとが照合されるか否かを判断する。判断の方法は、相関関係情報のデータ形式にもよるので一概に規定しないが、例えば家族ＩＤに枝番をふった形式の相関関係情報である場合には、家族ＩＤ同士が一致するか否かを判断すれば良い。
【００５４】
相関関係情報Ａと相関関係情報Ｂとの照合がとれた場合、つまり来場者Ａと来場者Ｂとは家族関係にあると判断された場合には、来場者Ａ及び来場者Ｂは入場可能であると判断し、来場者に対して入場を許可する旨を通知する。
【００５５】
相関関係情報Ａと相関関係情報Ｂとの照合がとれなかった場合、つまり来場者Ａと来場者Ｂとは家族関係にないと判断された場合には、来場者Ａ及び来場者Ｂは入場不可能であると判断し、来場者に対して入場を拒否する旨を通知する。
【００５６】
なお、この実施形態においては、複数の所有者同士の相関関係を示す相関関係情報を記憶する関係記憶部は、通信媒体に設けられていることとしたが、関係記憶部は、リーダ自身、又はリーダに直接接続されている装置、若しくはリーダとネットワークを介して接続されているサーバに設けられていても良い。関係記憶部が通信媒体以外に設けられている場合には、通信媒体が記憶している所有者情報に含まれている所有者ＩＤと、相関関係情報とを対応付けて記憶しておくようにすれば良い。また、所有者ＩＤ以外の所有者情報についても関係記憶部を有するのと同一の装置に記憶し、通信媒体は所有者ＩＤ以外の情報を保有しないようにしておけば、情報セキュリティの観点から考えて安全性が高い。
【００５７】
また、本実施形態の如く、相関関係情報の有無を条件に含んだ入退場判断基準を適用する場合であっても、アンチコリジョン対応の会員証及びリーダを用いて複数の会員証を同時に通信させるだけでなく、先の例で示したように、特定の時間内に通信を行った複数の会員証の所有者情報と相関関係情報とから入退場の可否を判断するようにしても良い。
【００５８】
なお、本実施例は分かり易くするために２人の利用者に対する入退場可否判断の例を示したが、これは当然３人以上の利用者が特定の時間内に会員証を提示した場合、その全てに対して入退場の可否判断を行うものである。
【図面の簡単な説明】
【００５９】
【図１】本発明における自動入退場規制システムの一例を示す図である。
【図２】本発明における自動入退場規制方法の一例を示すフロー図である。
【図３】本発明におけるアンチコリジョン対応の自動入退場規制方法の一例を示すフロー図である。
【図４】本発明におけるアンチコリジョン対応の自動入退場規制方法の別の一例を示すフロー図である。
【図１】
0005195053.tif 000002
【図２】
0005195053.tif 000003
【図３】
0005195053.tif 000004
【図４】
0005195053.tif 000005